(57)【特許請求の範囲】
【請求項１】
トンネル周方向（Ｙ）に隣接させて組付けられる第１セグメント本体（Ｓ１）及び第２セグメント本体（Ｓ２）が、夫々の突合せ部（１）を突合わせた状態で対向するように、第１被挟持部（ｍ１）を形成する第１アリ溝部（Ｍ１）および第２被挟持部（ｍ２）を形成する第２アリ溝部（Ｍ２）を個別に設けると共に、
トンネル長手方向（Ｘ）の端部から前記第１アリ溝部（Ｍ１）および第２アリ溝部（Ｍ２）に各別に嵌入自在であると共に、互いの間隔が嵌入方向前方側ほど広く構成してある第１挟持部（ｒ１）と第２挟持部（ｒ２）とを両側に備え、且つ、トンネル長手方向（Ｘ）に隣接する既設セグメント本体（Ｓ３）あるいはセグメント押込装置（Ｐ）に接当可能であって、前記第２セグメント本体（Ｓ２）を既設セグメント本体（Ｓ３）に押し付ける際に、前記既設セグメント本体（Ｓ３）あるいは前記押込装置（Ｐ）から一定以上の荷重を受けた場合に変形可能な突出部材（Ｔ）を嵌入方向後端に設けた連結具（Ｒ）を、前記第１アリ溝部（Ｍ１）および第２アリ溝部（Ｍ２）に挿入することで、
前記第１挟持部（ｒ１）が前記第１被挟持部（ｍ１）に当接し、前記第２挟持部（ｒ２）が前記第２被挟持部（ｍ２）に当接して、前記夫々の突合せ部（１）を相対的に近接させるトンネル用セグメントの連結構造であって、前記第１セグメント本体（Ｓ１）と前記第２セグメント本体（Ｓ２）との突合せ部（１）が、トンネルの軸芯方向に対して傾斜しており、
前記第１被挟持部（ｍ１）と前記突合せ部（１）との間隔、および、前記第２被挟持部（ｍ２）と前記突合せ部（１）との間隔を、前記連結具（Ｒ）の嵌入方向前方側ほど広く構成してあるトンネル用セグメントの連結構造。
【発明の詳細な説明】
【０００１】
【発明の属する技術分野】
本発明は、トンネル周方向に隣接させて組付けられる第１セグメント本体及び第２セグメント本体が、夫々の突合せ部を突合わせた状態で対向するように、第１被挟持部を形成する第１アリ溝部および第２被挟持部を形成する第２アリ溝部を個別に設けると共に、トンネル長手方向の端部から前記第１アリ溝部および第２アリ溝部に各別に嵌入目在であると共に、互いの間隔が嵌入方向前方側ほど広く構成してある第１挟持部と第２挟持部とを両側に備え、且つ、トンネル長手方向に隣接する既設セグメント本体あるいはセグメント押込装置に接当可能であって、前記第２セグメント本体を既設セグメント本体に押し付ける際に、前記既設セグメント本体あるいは前記押込装置から一定以上の荷重を受けた場合に変形可能な突出部材を嵌入方向後端に設けた連結具を、前記第１アリ溝部および第２アリ溝部に挿入することで、前記第１挟持部が前記第１被挟持部に当接し、前記第２挟持部が前記第２被挟持部に当接して、前記夫々の突合せ部を相対的に近接させるトンネル用セグメントの連結構造に関する。
【０００２】
【従来の技術】
従来、この種のトンネル用セグメントの連結構造は、例えぱ、図４〜図６に示すものがあった。
即ち、あらかじめ第１アリ溝部Ｍ１に連結具Ｒを挿入した第１セグメント本体Ｓ１を先に構築しておき、この第１セグメント本体Ｓ１の突合せ部１から突出した連結具Ｒに第２セグメント本体Ｓ２の第２アリ溝部Ｍ２を外挿させつつ、第２アリ溝部Ｍ２を既設セグメント本体Ｓ３の側に押し込むことで、前記連結具Ｒが第１被挟持部ｍ１と第２被挟持部ｍ２とを引きつけて第１セグメント本体Ｓ１と第２セグメント本体Ｓ２とを連結するいわゆる先付方式を可能にするものがあった。
【０００３】
ここで用いる連結具Ｒは、例えば図５に示すごとく略矩形状であって、当該連結具Ｒの挿人方向に沿った両縁部には第１挟持部ｒ１および第２挟持部ｒ２が形成してある。これら第１挟持部ｒ１および第２挟持部ｒ２は平板状の胴部ｒ３で連接されている。特に、第２挟持部ｒ２は、第２アリ溝部Ｍ２に挿入されて第１セグメント本体Ｓ１と第２セグメント本体Ｓ２とを引付け連結するよう前記連結具Ｒの挿入方向奥側ほど広がった状態に形成してある。
また、連結具Ｒには、既設セグメント本体Ｓ３に接当可能な突出部材Ｔをその嵌入方向後端に備えている。当該突出部材Ｔは、前記第２挟持部ｒ２の端部に設け、その突出方向は前記第１挟持部ｒ１の延出方向と略平行に設定してある。前記突出部材Ｔは、例えば中空の円筒部材で構成し、所定の押圧力で例えば図６に示すごとく、前記既設セグメント本体Ｓ３に押し付けられる際に圧縮変形する。つまり、当該突出部材Ｔが圧縮変形することで連結具Ｒが既設セグメント本体Ｓ３の側に移動し、後述するごとく、前記第１セグメント本体Ｓ１と前記第２セグメント本体Ｓ２とを略一定力で引付け連結する。前記突出部材Ｔは前記第２挟持部ｒ２の後端に対して嵌入させて固定したり、接着剤等を用いて接着固定してある。
【０００４】
前記第１セグメント本体Ｓ１に対する前記第２セグメント本体Ｓ２の取付け態様を図４（イ）〜（二）に示す。ここでは、双方のセグメント本体の突合せ部１に形成したアリ溝部のうち、特に既設セグメント本体Ｓ３の側のアリ溝部に係る例を示す。また、説明を簡単にするために、各部材どうしの当接部には摩擦力は発生しないものとする。
図４（イ）は、既に構築が終了した前記第１セグメント本体Ｓ１と、当該第１セグメント本体Ｓ１の第１アリ溝部Ｍ１に挿入されている前記連結具Ｒとに対し、前記第２セグメント本体Ｓ２を近接させる過程を示している。この過程においては、前記連結具Ｒと前記第２セグメント本体Ｓ２とは未だ当接していない。
前記連結具Ｒを取付ける際には、突出部材Ｔを設けていない側の第１挟持部ｒ１を前記第１アリ溝部Ｍ１に挿入し、前記突出部材Ｔを設けた第２挟持部ｒ２は突合せ部１から突出させておく。本構成であれば、後で第２セグメント本体Ｓ２を押込む際に、突出部材Ｔの軸芯と第２セグメント本体Ｓ２への押込み力の作用線とが略同軸芯上に位置することとなるから、前記第２セグメント本体Ｓ２の押込みによって連結具Ｒにこじりが生じないうえに、連結具Ｒが既設セグメント木体Ｓ３に対して横擦れすることもないから、突出部材Ｔは所期の圧縮力を発樺させつつ圧縮変形することが可能となる。
【０００５】
図４（ロ）は、前記第２セグメント本体Ｓ２の押付けが進み、前記第２アリ溝部Ｍ２が前記連結具Ｒの第２挟持部ｒ２に当接し、同時に、前記突出部材Ｔが前記既設セグメント本体Ｓ３に当接した状態を示している。この状態では、前記第１セグメント本体Ｓ１と前記第２セグメント本体Ｓ２との間に所定の締結力は未だ発生していない。
さらに前記第２セグメント本体Ｓ２を前記既設セグメント本体Ｓ３の側に押込むと、前記第２セグメント本体Ｓ２の平溝部Ｍ２ａが、前記連結具Ｒの第２挟持部ｒ２と前記第１セグメント本体Ｓ１との間に嵌入される。この嵌入は、前記連結具Ｒが前記第１セググメント本体Ｓ１と前記第２セグメント本体Ｓ２とを所定の締結力で引き付けるようになるまで行われる。そして、連結具Ｒと第２セグメント本体Ｓ２とは一定の相対位置関係を維持したまま既設セグメント本体Ｓ３の側に移動する。この移動は、前記突出部材Ｔが既設セグメント本体Ｓ３に当接するまで、即ち、図４（ハ）の状態になるまで行われる。
図４（ハ）の状態になる以前においては、前記突出部材Ｔに面外圧縮変形は生じない。しかし、この状態からさらに第２セグメント本体Ｓ２を押し込むと、前記突出部材Ｔに圧縮変形が生じる。この結果、連結具Ｒは既設セグメント本体Ｓ３の側に移動し、同時に突合せ部１からの連結具Ｒの突出量が長くなり、第２セグメント本体Ｓ２も既設セグメント本体Ｓ３の側に移動可能となって、第２セグメント本体Ｓ２の押し込みが進行する。尚、図４（ハ）の状態になった以後においては、連結具Ｒが第１セグメント本体Ｓ１と第２セグメント本体Ｓ２とを引付ける力は略一定である。
図４（二）は、第２セグメント本体Ｓ２の押し込みが終了した状態を示す。第２セグメント本体Ｓ２の押し込みが確実に行われるためには、図４（二）の状態において、突出部材Ｔは、さらに圧縮変形し得る余裕を残しているか、最大量の圧縮変形がなされた状態であることが必要である。なぜなら、仮に、第２セグメント本体Ｓ２が既設セグメント本体Ｓ３に当接する以前に、突出部材Ｔが最大量の圧縮変形を終了してしまった場合には、第２セグメント本体Ｓ２はもはや既設セグメント本体Ｓ３に当接することができなくなるからである。
【０００６】
以上のごとく、従来のトンネル用セグメントの連結構造には、単に第２セグメント本体Ｓ２を既設セグメント本体Ｓ３の側に押付けるだけで、トンネル周方向Ｙに隣接する第１セグメント本体Ｓ１と第２セグメント本体Ｓ２とを、所定の締結力で連結できるものがあった。
【０００７】
【発明が解決しようとする課題】
上記のごとく、突合せ面がトンネルの長手方向Ｘと同方向に延出しているセグメント本体どうしを先付方式で連結する場合には、特に支障なく、第１セグメン卜本体Ｓ１に対する連結具Ｒの摺動、あるいは、第１セグメント本体Ｓ１および連結具Ｒに対する第２セグメント本体Ｓ２の摺動が円滑に行われて、適切な連結部を得ることができる。
しかし、第１セグメント本体Ｓ１と第２セグメント本体Ｓ２との突合せ部１は上記のごとくトンネルの長手方向Ｘに延出するものばかりではなく、例えば、トンネル周方向Ｙに連続した一つのトンネルリングを完成するために最後に連結する所謂キーセグメントでは平面形が略台形状のものがある。この場合の突合せ部１は、トンネルの長手方向Ｘに対して傾斜することになる。一方、前記第１彼挟持部ｍ１および第２披挟持部ｍ２については、このようなキーセグメントであっても、既設セグメント本体Ｓ３に対する押込み方向Ｘ１はトンネルの長手方向Ｘと同方向であるため、前記押込み方向Ｘ１に対して対称に形成される場合が多い。
つまり、突合せ部１と第１披挟持部ｍ１とのなす角度、及び、突合せ部１と第２被挟持部ｍ２とのなす角度は必ずしも同じではなく、前記第１彼挟持部ｍ１等の形成状態によっては、第２セグメント本体Ｓ２を押し込んだ際に、前記連結具Ｒがうまく摺動せず、前記第１セグメント本体Ｓ１と前記第２セグメント本体Ｓ２とを所定の締結力で連結できない場合があった。
【０００８】
本発明の目的は、このような従来技術の欠点を解消し、トンネル周方向Ｙに連結する第１セグメント本体Ｓ１と第２セグメント本体Ｓ２との突合せ部１の延出方向が、第１セグメント本体Ｓ１あるいは第２セグメント本体Ｓ２の押込み方向Ｘ１と異なる場合であっても所定の締結力を確実に発揮し得るトンネル用セグメントの連結構造を提供することにある。
【０００９】
【課題を解決するための手段】
（構成１）
この目的を達成するための本発明に係るセグメント連結構造は、請求項１に記載したごとく、第１セグメント本体と第２セグメント本体との突合せ部が、トンネルの長手方向に対して傾斜しており、第１披挟持部と前記突合せ部との間隔、および、第２被挟持部と前記突合せ部との間隔を、連結具の嵌入方向前方側ほど広く構成した点に特徴を有する。
（作用・効果）
本構成のごとく、例えば第２セグメント本体が略台形状の平面形状を有するいわゆるキーセグメントであって、前記突合せ部がトンネルの長手方向に対して傾斜している場合でも、第１披挟持部と前記突合せ部との問隔、および、第２被挟持部と前記突合せ部との間隔を、何れも連結具の嵌入方向前方側ほど広く構成しておくことで、第２セグメント本体の押し込みが円滑に行われる。
つまり、第２セグメント本体を既設セグメントの側に押し込んだ際には、前記連結具が既設セグメント本体の側に移動し、突合せ部からの当該連結具の突出量が増大する。この結果、第２セグメント本体は更に既設セグメント本体の側に移動することが可能となって、第１セグメント本体と第２セグメント本体とは、所期の締結力をもって確実に連結されることとなる。
【００１０】
【発明の実施の形態】
以下に本発明の実施例を図面に基づいて説明する。
【００１１】
（概要）
本発明のトンネル用セグメントの連結構造の概要を図１に示す。ここでは、例えば、トンネルの長手方向Ｘに対して共に傾斜した突合せ部１を有する第１セグメント本体Ｓ１と第２セグメント本体Ｓ２とを、従来技術の項で示した連結具Ｒを用いて締結する例を示す。本実施形態における第２セグメント本体Ｓ２は、例えば、平面形状が略台形状のいわゆるキーセグメントである場合が考えられる。尚、これらのセグメント本体は、例えば、ダクタイルセグメントの他に、コンクリートセグメント、スチールセグメント等を各種のセグメントで構成することができる。
図１に示すごとく、第１セグメント本体Ｓ１の突合せ部１には、トンネルの長手方向Ｘに沿った両端部に第１アリ溝部Ｍ１を夫々形成してある。これらの第１アリ溝部Ｍ１には、連結具Ｒと当接して第１セグメント本体Ｓ１と第２セグメント本体Ｓ２とを引付けるための第１被挟持部ｍ１を夫々形成してある。これと同様に、前記第２セグメント本体Ｓ２の突合せ部１にも、トンネルの長手方向Ｘに沿った両端部に第２アリ溝部Ｍ２と第２被挟持部ｍ２とを夫々形成してある。
本実施形態では、図２に示すごとく、トンネルの長手方向Ｘすなわち第２セグメント本体Ｓ２の押込み方向Ｘ１と前記第１被挟持部ｍ１の延出方向とで形成する角度と、前記押込み方向Ｘ１と前記第２被挟持部ｍ２の延出方向とで形成する角度とは等しく構成されているものとする。また、前記第１被挟持部ｍ１と前記第２被挟持部ｍ２との間隔は、後述する連結具Ｒの嵌入方向奥側ほど広くなるように構成してある。
一方、第１セグメント本体Ｓ１と第２セグメント本体Ｓ２との突合せ部１は、前記押込み方向Ｘ１に対して所定の角度を有して傾斜している。
【００１２】
（連結操作）
本実施形態における第２セグメント本体Ｓ２の連結過程は、従来技術で示した図４と基本的に同じである。但し、前述のごと〈、前記突合せ部１は、前記押込み方向Ｘ１に対して所定の角度を有して傾斜している。よって、第２セグメント本体Ｓ２を押し込んだ際に、連結具Ｒが第１アリ溝部Ｍ１に沿って既設セグメント本体Ｓ３の側に摺勤し、第２セグメント本体Ｓ２の第２アリ構部Ｍ２が、既設セグメント本体Ｓ３の側に円滑に移動可能となるためには、前記突合せ部１と前記第１被挟持部ｍ１との相対関係、および、前記突合せ部１と前記第２被挟持部ｍ２との相対関係が重要となる。
【００１３】
図３（イ）（口）には、夫々、第２セグメント本体Ｓ２を押し込み操作している途中の伏態と、押し込み操作が完了した状態とを示してある。尚、第１セグメント本体Ｓ１は既設セグメント本体Ｓ３に対して既に取り付けが終了しているものとする。
本実施形態では、第１アり溝部Ｍ１に形成された第１被挟持部ｍ１が、前記押込み方向Ｘ１となす角度をθ1 とする。また、第１セグメント本体Ｓ１の突合せ部１が、前記押込み方向Ｘ１となす角度をθ2 とする。当該第１アリ溝部Ｍ１には既に連結具Ｒが挿入されている。
一方、第２セグメント本体Ｓ２の突合せ部１が前記押込み方向Ｘ１となす角度は、第１セグメント本体Ｓ１の突合せ部１の場合と同じθ2 である。そして、第２アリ溝部Ｍ２に形成された第２被挟持部ｍ２が、前記押込み方向Ｘ１となす角度をθ3 とする。
【００１４】
図３（イ）は、第２セグメント本体Ｓ２をある程度押し込み、連結具Ｒの第１挟持部ｒ１と第２挟持部ｒ２とが、第１被挟持部ｍ１と第２被挟持部ｍ２とを挟持して、第１セグメント本体Ｓ１と第２セグメント本体Ｓ２とが当接した状態を示している。さらに、説明を容易にするために、図３（イ）は、連結具Ｒの突出部材Ｔがちょうど既設セグメント本体Ｓ３に当接した状態であって、連結具Ｒの縁部ｒｅと第２セグメント本体Ｓ２の縁部Ｓ２ｅとが一致しているとする。
また、突出部材Ｔを除く各部材には一切の変形が生じないものとし、互いに当接する部分には摩擦力が作用しないものとする。
今、図３（イ）の状態から、第２セグメント本体Ｓ２をさらに押し込むと、第２被挟持部ｍ２が連結具Ｒの第２挟持部ｒ２を押圧する。第２セグメント本体Ｓ２が、さらに既設セグメント本体Ｓ３の側に移動するためには、第２セグメント本体Ｓ２と連結具Ｒとが略一体となって既設セグメント本体Ｓ３の側に移動するか、連結具Ｒが既設セグメント本体Ｓ３の側に移動し、第１セグメン卜本体Ｓ１の突合せ部１からの連結具Ｒの突出長さに余裕が生じて、この余裕分だけ第２セグメント本体Ｓ２が既設セグメント本体Ｓ３の側に進入して移動するかの何れかである。
前者としては、前記第１被挟持部ｍ１と前記突合せ部１とか平行である場合が該当する。つまり、θ1 ＝θ2 の場合である。この場合には、連結具Ｒが既設セグメント本体Ｓ３の側に移動しても突合せ部１からの連結具Ｒの突出量に変化が生じないから、連結具Ｒと第２セグメント本体Ｓ２との相対位置は変わらない。一方、後者としては、図３（イ）（ロ）に示す場合が該当する。この場合の、連結具Ｒおよび第２セグメント本体Ｓ２の動きは以下のごとくとなる。
図３（ロ）に示すごとく、第２セグメント本体Ｓ２の押し込みによって、連結具Ｒが△ａだけ押し込まれ、連結が終了したとする。この場合、突出部材Ｔは一定の荷重を受けて圧縮変形する。連結具Ｒは既設セグメント本体Ｓ３の側に移動しつつ第２セグメント本体Ｓ２の側にも移動する。この結果、突合せ部１に対する連結具Ｒの縁部の突出量は、
△ａ・（ tanθ1 − tanθ2 ）
だけ増加する。つまり、上記移動によって、連結具Ｒは突合せ部１から tanθ1 だけ突出することとなるが、突合せ部１も tanθ2 だけ張り出してくるから、両者の差が連結具Ｒの突出量の増加分となる。
即ち、第２セグメント本体Ｓ２をさらに押し込むためには、
△ａ・（ tanθ1 − tanθ2 ）＞０
の関係が成り立つ必要がある。つまり、角度  θ1 ＞θ2   であることが必要となる。
尚、角度θ1 と角度θ2 との関係が、  θ1 ＜θ2   の場合には、連結具Ｒおよび第２セグメント本体Ｓ２を、既設セグメント本体Ｓ３の側にさらに押し込むことは事実上不可能となる。つまり、連結具Ｒを既設セグメント本体Ｓ３の側に押し込むほど、突合せ部１からの連結部突出量が減少して、第２セグメント本体Ｓ２がさらに進入する隙間か生じないからである。この場合、仮に連結具Ｒが既設セグメント本体Ｓ３とは反対方向に移動すれば突合せ部１からの連結具Ｒの突出量は増加するが、連結具Ｒには第２セグメント本体Ｓ２から押し込み力が作用しているため、連結具Ｒが既設セグメント本体Ｓ３に対して反対方向に後退することはあり得ない。
【００１５】
図３（イ）の伏態から図３（ロ）の状態に至るまでの第２セグメント本体Ｓ２の変位量は、以下のとおりである。
連結具Ｒの突出量が  △ａ・（ tanθ1 −  tan θ2 ）だけ増加した場合の、連結具Ｒの縁部に対する第２セグメント本体Ｓ２の突出量を△ｂ1 とすると、
△ｂ1 ・（ tanθ1 ＋ tanθ3 ）＝△ａ・（ tanθ1 − tanθ2 ）
となり、
△ｂ1 ＝△ａ・（ tanθ1 − tanθ2 ）／（ tanθ1 ＋ tanθ3 ）
となる。
よって、第２セグメント本体Ｓ２の変位量を△ｂ2 とすると、当該△ｂ2 は、連結具Ｒの変位量△ａと上記△ｂ1 とを加えて求めることができる。
【００１６】
尚、上記の説明においては、第２セグメント本体Ｓ２に形成した第２アリ溝部Ｍ２のうち、既設セグメント本体Ｓ３の側の第２アリ溝部Ｍ２についての例を示したが、既設セグメント本体Ｓ３とは反対側の第２アリ溝部Ｍ２の場合であっても押し込み過程は同様に説明することができる。
図２から明らかなごとく、既設セグメント本体Ｓ３とは反対側の第２アリ溝部Ｍ２においては、第２セグメント本体Ｓ２と連結具Ｒとは、例えば、トンネルシールドの押込装置Ｐによって押圧する。この状態は、図３（イ）を左右逆にして見たのと同じとなるからである。
【００１７】
（効果）
以上の説明から明らかなごとく、連結具Ｒを予め第１セグメント本体Ｓ１等に取り付けておく、いわゆる先付け方式を用いて第２セグメント本体Ｓ２を連結する場合には、突合せ部１および第１被挟持部ｍ１、そして、突合せ部１および第２被挟持部ｍ２は連結具Ｒの嵌入方向奥側ほど離間する状態とするのが望ましい。
本発明のトンネル用セグメントの連結構造によれば、その構造が極めて簡単でありながら、既設セグメント本体Ｓ３に対して第２セグメン卜本体Ｓ２を押し込むだけで第１セグメント本体Ｓ１と第２セグメント本体Ｓ２とを略一定の締結力で連結することができ、信頼性の高い連結部分を得ることかできる。
【００１８】
〔別実施形態〕
〈１〉  上記実施形態では前記突出部材Ｔは前記第２挟持部ｒ２のみに設けたがこれに加えて前記第１挟持部ｒ１の側にも設けることができる。
この場合には、第２セグメント本体Ｓ２を押し込む際の連結具Ｒの回転を確実、に防止することができるから、より適切な連結作業を行うことができる。尚、この場合には、夫々の突出部材Ｔを圧縮変形させるのに必要な荷重の合計が、上記実施形態における単一の突出部材Ｔを圧縮変形させるのに必要な荷重と等しくなるようにしておくとよい。
【００１９】
尚、特許請求の範囲の項に、図面との対照を便利にするために符号を記すが、該記入により本発明は添付図面の構成に限定されるものではない。
【図面の簡単な説明】
【図１】本発明のトンネル用セグメントの連結構造の概要を示す斜視図
【図２】本発明のトンネル用セグメントの連結構造を示す説明図
【図３】第２セグメント本体を連結する過程を示す説明図
【図４】従来技術におけるトンネル用セグメントの連結構造を示す説明図
【図５】連結具の形状を示す平面図
【図６】変形途中の突出部材を示す説明図
【符号の説明】
Ｓ１  第１セグメント本体
Ｓ２  第２セグメント本体
Ｓ３  既設セグメント本体
１    突合せ部
Ｍ１  第１アリ溝部
Ｍ２  第２アリ溝部
ｍ１  第１被挟持部
ｍ２  第２被挟持部
ｒ１  第１挟持部
ｒ２  第２挟持部
Ｒ    連結具
Ｔ    突出部材
Ｙ    トンネル周方向
【図１】
0003877390.tif 000002
【図２】
0003877390.tif 000003
【図３】
0003877390.tif 000004
【図４】
0003877390.tif 000005
【図５】
0003877390.tif 000006
【図６】
0003877390.tif 000007